(57)【要約】【課題】テレビ放送を受信可能な携帯端末が記憶する物理チャンネルについての情報を最小限に抑えながら、その構成を実現するために発生する経済的負担を最小限に抑制可能にする。【解決手段】外部装置１Ａ、１Ｂ、１Ｃの外部装置通信部７が、外部装置記憶部６に記憶した物理チャンネルの一覧情報を携帯端末４に送信し、携帯端末通信部７が、外部装置１Ａ、１Ｂ、１Ｃから物理チャンネルの一覧情報を受信し、携帯端末記憶部９が、携帯端末通信部１０により受信した物理チャンネルの一覧情報を記憶する。【選択図】図６
2008034935.tif 000002
【特許請求の範囲】
【請求項１】
テレビ放送送信に用いられているチャンネルの一覧情報を記憶した外部装置と、あるチャンネルでテレビ放送送信されたテレビ放送を受信する携帯端末と、により構成されるテレビ放送受信システムであって、
前記外部装置は、
少なくとも当該外部装置が存在する地域の前記チャンネルの一覧情報を記憶する外部装置記憶部と、
前記携帯端末と通信を行う外部装置通信部と、を備え、
前記携帯端末は、
前記チャンネルの一覧情報を記憶する携帯端末記憶部と、
前記携帯端末記憶部に記憶したチャンネルの一覧情報のうちの、任意のチャンネルでテレビ放送送信されたテレビ放送を受信する携帯端末テレビ受信部と、
前記外部装置と通信を行う携帯端末通信部と、を備え、
前記外部装置通信部は、前記外部装置記憶部に記憶した前記チャンネルの一覧情報を前記携帯端末に送信し、
前記携帯端末通信部は、前記外部装置からチャンネルの一覧情報を受信し、
前記携帯端末記憶部は、前記携帯端末通信部により受信したチャンネルの一覧情報を記憶する、
テレビ放送受信システム。
【請求項２】
請求項１記載のテレビ放送受信システムであって、
前記携帯端末は、
当該携帯端末が存在する地域を特定する地域特定部を備え、
前記携帯端末通信部は、前記地域特定部により特定した地域についての地域情報を前記外部装置に送信し、
前記外部装置通信部は、前記携帯端末から受信した地域情報により指定される地域と当該外部装置が存在する地域とが一致する場合、前記前記外部装置記憶部に記憶した前記チャンネルの一覧情報を前記携帯端末に送信する、
テレビ放送受信システム。
【請求項３】
請求項１記載のテレビ放送受信システムであって、
前記携帯端末は、
当該携帯端末が存在する地域を特定する地域特定部を備え、
前記外部装置記憶部は、当該外部装置が存在する地域についての地域情報と、当該外部装置が存在する地域における前記チャンネルの一覧情報と、を記憶し、
前記外部装置通信部は、前記外部装置記憶部に記憶した、前記地域情報と前記チャンネルの一覧情報とを前記携帯端末に送信し、
前記携帯端末通信部は、前記外部装置から地域情報とチャンネルの一覧情報を受信し、
前記携帯端末記憶部は、前記携帯端末通信部により受信した、地域情報とチャンネルの一覧情報を記憶し、
前記携帯端末テレビ受信部は、前記携帯端末記憶部に記憶した地域情報により指定される地域と前記地域特定部により特定した地域とが一致する場合、前記携帯端末記憶部に記憶したチャンネルの一覧情報のうちの、任意のチャンネルでテレビ放送送信されたテレビ放送を受信する、
テレビ放送受信システム。
【請求項４】
請求項１から３のいずれか１項に記載のテレビ放送受信システムであって、
前記外部装置は、
前記外部装置記憶部に記憶したチャンネルの一覧情報のうちの、任意のチャンネルでテレビ放送送信されたテレビ放送を受信する外部装置テレビ受信部を備え、
前記携帯端末通信部は、前記携帯端末テレビ受信部によりテレビ放送を受信しているチャンネルについてのチャンネル情報を送信し、
前記外部装置テレビ受信部は、前記携帯端末通信部により受信したチャンネル情報により指定されるチャンネルでテレビ放送送信されたテレビ放送を受信する、
テレビ放送受信システム。
【請求項５】
所定の地域においてテレビ放送送信に用いられているチャンネルの一覧情報を記憶した外部装置であって、
少なくとも当該外部装置が存在する地域における前記チャンネルの一覧情報を記憶する外部装置記憶部と、
あるチャンネルでテレビ放送送信されたテレビ放送を受信する携帯端末と通信を行う外部装置通信部と、
を備え、
前記外部装置通信部は、前記携帯端末に記憶させるための、前記外部装置記憶部に記憶したチャンネルの一覧情報を前記携帯端末に送信する、
外部装置。
【請求項６】
請求項５記載の外部装置であって、
前記外部装置通信部は、前記携帯端末が存在する地域についての情報を前記携帯端末から受信し、前記携帯端末から受信した地域情報により指定される地域と当該外部装置が存在する地域とが一致する場合、前記前記外部装置記憶部に記憶した前記チャンネルの一覧情報を前記携帯端末に送信する、
外部装置。
【請求項７】
請求項５または６記載の外部装置であって、
前記外部装置記憶部に記憶したチャンネルの一覧情報のうちの、任意のチャンネルでテレビ放送送信されたテレビ放送を受信する外部装置テレビ受信部を備え、
前記外部装置通信部は、前記携帯端末が受信しているチャンネルについてのチャンネル情報を前記携帯端末から受信し、
前記外部装置テレビ受信部は、前記外部装置通信部により受信したチャンネル情報により指定されるチャンネルでテレビ放送送信されたテレビ放送を受信する、
外部装置。
【請求項８】
請求項５から７のいずれか１項に記載の外部装置は、携帯端末であることを特徴とする外部装置。
【請求項９】
あるチャンネルでテレビ放送送信されたテレビ放送を受信する携帯端末であって、
ある地域においてテレビ放送送信に用いられているチャンネルの一覧情報を記憶する携帯端末記憶部と、
前記携帯端末記憶部に記憶したチャンネルの一覧情報のうちの、任意のチャンネルでテレビ放送送信されたテレビ放送を受信する携帯端末テレビ受信部と、
所定の地域においてテレビ放送送信に用いられているチャンネルの一覧情報を記憶した外部装置と通信を行う携帯端末通信部と、を備え、
前記携帯端末通信部は、前記外部装置からチャンネルの一覧情報を受信し、
前記携帯端末記憶部は、前記携帯端末通信部により受信したチャンネルの一覧情報を記憶する、
携帯端末。
【請求項１０】
請求項９記載の携帯端末であって、
当該携帯端末が存在する地域を特定する地域特定部を備え、
前記携帯端末通信部は、前記地域特定部により特定した地域についての地域情報を前記外部装置に送信し、その後、前記地域特定部により特定した地域におけるチャンネルの一覧情報を前記外部装置から受信する、
携帯端末。
【請求項１１】
請求項９記載の携帯端末であって、
当該携帯端末が存在する地域を特定する地域特定部を備え、
前記携帯端末通信部は、前記外部装置が存在する地域についての地域情報と、前記外部装置が存在する地域における前記チャンネルの一覧情報と、前記外部装置から受信し、
前記携帯端末記憶部は、前記携帯端末通信部により受信した、地域情報とチャンネルの一覧情報を記憶し、
前記携帯端末テレビ受信部は、前記携帯端末記憶部に記憶した地域情報により指定される地域と前記地域特定部により特定した地域とが一致する場合、前記携帯端末記憶部に記憶したチャンネルの一覧情報のうちの、任意のチャンネルでテレビ放送送信されたテレビ放送を受信する、
携帯端末。
【請求項１２】
あるチャンネルでテレビ放送送信されたテレビ放送を受信するテレビ放送受信方法であって、
所定の地域においてテレビ放送送信に用いられているチャンネルの一覧情報を記憶した外部装置から、当該チャンネルの一覧情報を受信し、
受信した前記チャンネルの一覧情報を記憶し、
記憶したチャンネルの一覧情報のうちの、任意のチャンネルでテレビ放送送信されたテレビ放送を受信する、
テレビ放送受信方法。
【発明の詳細な説明】
【技術分野】
【０００１】
本発明は、テレビ放送を受信可能な携帯端末が、ある地域に存在する各テレビ放送局によってテレビ放送送信に用いられている物理チャンネルの一覧情報を取得し、その取得した物理チャンネルの一覧情報を参照してテレビ放送を受信するテレビ放送受信システム、テレビ放送受信システムを構成する携帯端末および外部装置、およびテレビ放送受信方法に関する。
【背景技術】
【０００２】
近年の携帯電話やＰＤＡ（Personal Digital Assistant）等の携帯端末の中には、アナログテレビ放送を受信可能なものがある。携帯端末は、テレビ放送を受信するために少なくとも、携帯端末が存在する地域に割り当てられている物理チャンネル（アナログテレビ放送用やデジタルテレビ放送用に割り当てられたＵＨＦ周波数帯を区分するチャンネル番号１３ｃｈ〜６２ｃｈに一致）についての情報を取得する必要がある。
【０００３】
家庭用テレビ受信機は、一度その地域における物理チャンネルについての情報を取得すれば、その後家庭用受信機がその地域から移動しない限り、この物理チャンネルについての情報を再取得する必要はないが、移動することを前提としている携帯端末は、物理チャンネルについての情報を絶えず取得する必要がある。
【０００４】
これまでのテレビ放送を受信可能な携帯端末には、テレビ放送用に割り当てられたＵＨＦ周波数帯の全帯域における受信電波強度を測定し、測定した受信電界強度がある閾値を越える周波数帯域を特定することによって、その携帯端末が存在する地域における物理チャンネルを決定する機能を備えたものがある（この機能は、オートサーチと呼ばれることがある）。
【０００５】
しかしながら、上述の「オートサーチ」の処理によって携帯端末が存在する地域における物理チャンネルについての情報を取得するには時間がかかってしまう。特に、テレビ放送送信に利用される物理チャンネル数を１３セグメントで分割するデジタルテレビ放送の場合には、デジタル放送における物理チャンネル選局後の論理チャンネルの選択処理にかかる時間が大幅に増えてしまうため、テレビ放送の視聴を開始するまでに時間がかかってしまう。なお、本明細書におけるチャンネルは、物理チャンネルおよび論理チャンネルの両方、あるいはそのいづれかを指しており、このチャンネルによる選局とは、アナログ放送における物理周波数（チャンネル）による選択、およびデジタル放送における物理周波数選局後の論理チャンネルの選択、の両方の意味を含んでいるものとする。
【０００６】
このため、特許文献１記載の装置は、上述の「オートサーチ」を用いず、各地域に割り当てられている物理チャンネルについての情報を全地域分記憶するデータベースを備え、このデータベースから当該装置が存在する地域に割り当てられている物理チャンネルについての情報を読み出すことにより、物理チャンネルについての情報を取得している。
【特許文献１】特開２００３−３０４４５７号公報
【発明の開示】
【発明が解決しようとする課題】
【０００７】
しかしながら、特許文献１の装置のように、各地域に割り当てられている物理チャンネルについての情報を全地域分記憶することは、全地域でテレビ受信する機会のある装置利用者が少ないため効率的ではなく、さらに記憶可能なデータ容量が少ない携帯端末は利用しないデータ（すなわち、テレビ受信する機会の無い地域における物理チャンネルについての情報）を極力記憶しておきたくない。
【０００８】
また、記憶可能なデータ容量が多いサーバ等の外部装置に、各地域に割り当てられている物理チャンネルについての情報を全地域分記憶させ、テレビ放送を受信可能な携帯端末がその外部装置から適宜、当該携帯端末が存在する地域に割り当てられている物理チャンネルについての情報のみを受信する構成も考えられる。しかし、この外部装置は、複数の携帯端末それぞれに対して、各携帯端末によって指定された地域における物理チャンネルについての情報を送信することができる通信性能が要求されるため、この外部装置を新たに設けるには、このサービスを提供する提供者にとって大きな経済的負担が発生してしまう。
【０００９】
本発明は、上記事情に鑑みてなされたもので、テレビ放送を受信可能な携帯端末が記憶する物理チャンネルについての情報を最小限に抑えることができ、かつ、その構成を実現するために発生する経済的負担を最小限に抑えることができるテレビ放送受信システム、テレビ放送受信システムを構成する携帯端末および外部装置、およびテレビ放送受信方法を提供することを目的とする。
【課題を解決するための手段】
【００１０】
本発明にかかるテレビ放送受信システムは、所定の地域においてテレビ放送送信に用いられているチャンネルの一覧情報を記憶した外部装置と、あるチャンネルでテレビ放送送信されたテレビ放送を受信する携帯端末と、により構成されるテレビ放送受信システムであって、前記外部装置は、当該外部装置が存在する地域における前記チャンネルの一覧情報を記憶する外部装置記憶部と、前記携帯端末と通信を行う外部装置通信部と、を備え、前記携帯端末は、前記チャンネルの一覧情報を記憶する携帯端末記憶部と、前記携帯端末記憶部に記憶したチャンネルの一覧情報のうちの任意のチャンネルでテレビ放送送信されたテレビ放送を受信する携帯端末テレビ受信部と、前記外部装置と通信を行う携帯端末通信部と、を備え、前記外部装置通信部は、前記外部装置記憶部に記憶した前記チャンネルの一覧情報を前記携帯端末に送信し、前記携帯端末通信部は、前記外部装置からチャンネルの一覧情報を受信し、前記携帯端末記憶部は、前記携帯端末通信部により受信したチャンネルの一覧情報を記憶する、ものである。
【００１１】
また、本発明にかかる外部装置は、所定の地域においてテレビ放送送信に用いられているチャンネルの一覧情報を記憶した外部装置であって、少なくとも当該外部装置が存在する地域における前記チャンネルの一覧情報を記憶する外部装置記憶部と、あるチャンネルでテレビ放送送信されたテレビ放送を受信する携帯端末と通信を行う外部装置通信部と、を備え、前記外部装置通信部は、前記携帯端末に記憶させるための、前記外部装置記憶部に記憶したチャンネルの一覧情報を前記携帯端末に送信する、ものである。
【００１２】
また、本発明にかかる携帯端末は、あるチャンネルでテレビ放送送信されたテレビ放送を受信する携帯端末であって、ある地域においてテレビ放送送信に用いられているチャンネルの一覧情報を記憶する携帯端末記憶部と、前記携帯端末記憶部に記憶したチャンネルの一覧情報のうちの、任意のチャンネルでテレビ放送送信されたテレビ放送を受信する携帯端末テレビ受信部と、所定の地域においてテレビ放送送信に用いられているチャンネルの一覧情報を記憶した外部装置と通信を行う携帯端末通信部と、を備え、前記携帯端末通信部は、前記外部装置からチャンネルの一覧情報を受信し、前記携帯端末記憶部は、前記携帯端末通信部により受信したチャンネルの一覧情報を記憶する、ものである。
【００１３】
また、本発明にかかるテレビ放送受信方法は、あるチャンネルでテレビ放送送信されたテレビ放送を受信するテレビ放送受信方法であって、所定の地域においてテレビ放送送信に用いられているチャンネルの一覧情報を記憶した外部装置から、当該チャンネルの一覧情報を受信し、受信した前記チャンネルの一覧情報を記憶し、記憶したチャンネルの一覧情報のうちの、任意のチャンネルでテレビ放送送信されたテレビ放送を受信する、ものである。
【００１４】
この構成により、携帯端末は、携帯端末通信部を通じて携帯端末記憶部に記憶した外部装置からのチャンネルの一覧情報にもとづいて、この一覧情報のうちの任意のチャンネルの放送を携帯端末テレビ受信部により受信可能にする。これにより、携帯端末が記憶するチャンネルに関する情報量を抑制できるとともに、外部装置は各地域ごとに設置可能な小規模システムでよくなり、外部装置によるサービスを提供する業者には、経済的負担が少なくて済む。
【００１５】
また、本発明にかかるテレビ放送受信システムは、前記携帯端末が、当該携帯端末が存在する地域を特定する地域特定部を備え、前記携帯端末通信部は、前記地域特定部により特定した地域についての地域情報を前記外部装置に送信し、前記外部装置通信部は、前記携帯端末から受信した地域情報により指定される地域と当該外部装置が存在する地域とが一致する場合、前記前記外部装置記憶部に記憶した前記チャンネルの一覧情報を前記携帯端末に送信する、ものを含む。
【００１６】
また、本発明にかかる外部装置は、前記外部装置通信部は、前記携帯端末が存在する地域についての情報を前記携帯端末から受信し、前記携帯端末から受信した地域情報により指定される地域と当該外部装置が存在する地域とが一致する場合、前記前記外部装置記憶部に記憶した前記チャンネルの一覧情報を前記携帯端末に送信する、ものを含む。
【００１７】
また、本発明にかかる携帯端末は、当該携帯端末が存在する地域を特定する地域特定部を備え、前記携帯端末通信部は、前記地域特定部により特定した地域についての地域情報を前記外部装置に送信し、その後、前記地域特定部により特定した地域におけるチャンネルの一覧情報を前記外部装置から受信する、ものを含む。
【００１８】
この構成により、２つの地域が一致した場合のみに、携帯端末は、外部装置が存在する地域におけるチャンネルの一覧情報のみを受信し、そのうち任意のチャンネルの放送を携帯端末テレビ受信部を通じて視聴することができるため、テレビ受信する機会の無い地域におけるチャンネルについての情報を記憶する必要が無くなる。
【００１９】
また、本発明にかかるテレビ放送受信システムは、前記携帯端末が、当該携帯端末が存在する地域を特定する地域特定部を備え、前記外部装置記憶部は、当該外部装置が存在する地域についての地域情報と、当該外部装置が存在する地域における前記チャンネルの一覧情報と、を記憶し、前記外部装置通信部は、前記外部装置記憶部に記憶した、前記地域情報と前記チャンネルの一覧情報とを前記携帯端末に送信し、前記携帯端末通信部は、前記外部装置から地域情報とチャンネルの一覧情報を受信し、前記携帯端末記憶部は、前記携帯端末通信部により受信した、地域情報とチャンネルの一覧情報を記憶し、前記携帯端末テレビ受信部は、前記携帯端末記憶部に記憶した地域情報により指定される地域と前記地域特定部により特定した地域とが一致する場合、前記携帯端末記憶部に記憶したチャンネルの一覧情報のうちの、任意のチャンネルでテレビ放送送信されたテレビ放送を受信する、ものを含む。
【００２０】
また、本発明にかかる携帯端末は、当該携帯端末が存在する地域を特定する地域特定部を備え、前記携帯端末通信部は、前記外部装置が存在する地域についての地域情報と、前記外部装置が存在する地域における前記チャンネルの一覧情報と、前記外部装置から受信し、前記携帯端末記憶部は、前記携帯端末通信部により受信した、地域情報とチャンネルの一覧情報を記憶し、前記携帯端末テレビ受信部は、前記携帯端末記憶部に記憶した地域情報により指定される地域と前記地域特定部により特定した地域とが一致する場合、前記携帯端末記憶部に記憶したチャンネルの一覧情報のうちの、任意のチャンネルでテレビ放送送信されたテレビ放送を受信する、ものを含む。
【００２１】
この構成により、携帯端末は、予めある地域におけるチャンネルの一覧情報を記憶しておけば、その記憶したチャンネルの一覧情報に対応する地域と携帯端末の現在地域とが一致した場合に、そのチャンネルの一覧情報を元にテレビ放送を受信することができるため、何度も外部装置からチャンネルの一覧情報を受信する必要が無いため通信回線の効率利用を図ることができる。
【００２２】
また、本発明にかかるテレビ放送受信システムは、前記外部装置が、前記外部装置記憶部に記憶したチャンネルの一覧情報のうちの、任意のチャンネルでテレビ放送送信されたテレビ放送を受信する外部装置テレビ受信部を備え、前記携帯端末通信部は、前記携帯端末テレビ受信部によりテレビ放送を受信しているチャンネルについてのチャンネル情報を送信し、前記外部装置テレビ受信部は、前記携帯端末通信部により受信したチャンネル情報により指定されるチャンネルでテレビ放送送信されたテレビ放送を受信する、ものを含む。
【００２３】
また、本発明にかかる外部装置は、前記外部装置記憶部に記憶したチャンネルの一覧情報のうちの、任意のチャンネルでテレビ放送送信されたテレビ放送を受信する外部装置テレビ受信部を備え、前記外部装置通信部は、前記携帯端末が受信しているチャンネルについてのチャンネル情報を前記携帯端末から受信し、前記外部装置テレビ受信部は、前記外部装置通信部により受信したチャンネル情報により指定されるチャンネルでテレビ放送送信されたテレビ放送を受信する、ものを含む。
【００２４】
この構成により、携帯端末で受信しているテレビ放送の切り替えに追従して、外部装置によっても同様のテレビ放送を受信することができるため、別々のテレビ受信端末でテレビ放送を受信している複数人の間で共通のテレビ放送を見ることにより、そのテレビ放送により公開されている情報の共有化を図ることができる。
【００２５】
また、本発明にかかる外部装置は、携帯端末であるものを含む。
【００２６】
この構成により、近年ますます多くの人々が所有する携帯端末によってチャンネルの一覧情報を共有することができるため、携帯端末が番組リストを取得するために専用の外部装置を設ける必要がなくなり、システム提供者側に発生する経済的負担を軽減することができる。
【発明の効果】
【００２７】
本発明のテレビ放送受信システム、テレビ放送受信システムを構成する携帯端末および外部装置、およびテレビ放送受信方法によれば、テレビ放送を受信可能な携帯端末が記憶するチャンネルについての情報を最小限に抑えることができ、かつ、その構成を実現するために発生する経済的負担を最小限に抑えることができる。
【発明を実施するための最良の形態】
【００２８】
以下、本発明の実施形態を、図面を参照しながら詳細に説明する。
図１は、本発明の実施形態による外部装置と携帯端末とからなるテレビ放送受信システムを示す概要図である。
【００２９】
図１に示す外部装置と携帯端末とからなるテレビ放送受信システムにおいて、外部装置１Ａ、１Ｂ、１Ｃはそれぞれ、放送局２Ａ、２Ｂ、２Ｃが所定の地域３Ａ、３Ｂ、３Cに放送するテレビ放送に関する番組リストを記憶している。この番組リストは、少なくとも、リモコン番号（テレビ放送視聴者がテレビ放送を選択するために操作する操作キーの番号）と、物理チャンネルと、チャンネル名（テレビ放送を送信している放送局の名称）とを含んでいる。なお、番組リストと、地域情報（放送局が番組リスト記載の物理チャンネルに従って放送エリアとしてカバーしている地域を示す情報）とを合わせて、番組情報と称する。
【００３０】
図２は、前記外部装置１Ａが記憶する、放送局２Ａが地域３Ａに放送するテレビ放送に関する番組リストを示し、図３は、前記外部装置１Ｂが記憶する、放送局２Ｂが地域３Ｂに放送するテレビ放送に関する番組リストを示し、図４は、前記外部装置１Ｃが記憶する、放送局２Ｃが地域３Ｃに放送するテレビ放送に関する番組リストを示す。各地域３Ａ、３Ｂ、３Ｃでは、同一リモコン番号に対して、異なる物理チャンネルおよび放送局名が割り当てられている。
【００３１】
リモコン番号は、視聴者にとっては、あるチャンネルで放送されているテレビ放送局名（チャンネル名）と対応付けられるものである。視聴者は、リモコン操作によりテレビ放送を選択するときに該当リモコン番号を選択すれば、物理チャンネルの存在を意識すること無く、対応する物理チャンネルが割り当てられているテレビ放送を視聴することができる。また、チャンネル名は、放送局名を文字列で表した情報である。
【００３２】
外部装置の具体例としては、サーバが挙げられる。各地域毎に分散してサーバを設けることにより、サーバに必要とされる通信性能を抑えることができる。この結果、外部装置は、図１に示すように、サーバなどの高度な通信性能を有するコンピュータである必要は、必ずしも無い。コンピュータよりも通信性能や演算処理性能が劣る携帯端末であっても、その役割を充分果たすことができる。
【００３３】
図５には、本発明の実施形態における外部装置として携帯端末を使用する場合のテレビ放送受信システムを示す概要図である。外部装置１Ａ、１Ｂ、１Ｃが、図５に示すように、外部装置としての携帯端末５Ａ、５Ｂ、５Ｃである場合（つまり、地域３Ａ、３Ｂ、３Ｃにおける番組リストを取得済みの携帯端末である場合）、地域３Ａ、３Ｂ、３Ｃにおける番組リストをまだ取得していない携帯端末４は、番組リストを取得済みの携帯端末３Ａ、３Ｂ、３Ｃから番組リストを取得する構成になる。この構成であれば、近年ますます多くの人々が所有する携帯端末によって番組リストを共有することができるため、前記携帯端末４が番組リストを取得するために専用の外部装置を設ける必要がなくなる。
【００３４】
地域３Ａ、３Ｂ、３Ｃにおける番組リストを取得していない携帯端末４は、地域３Ａ、３Ｂ、３Ｃでテレビ放送を受信するときに、外部装置１Ａ、１Ｂ、１Ｃから各地域３Ａ、３Ｂ、３Ｃにおける番組リストＡ、Ｂ、Ｃを受信し、地域３Ａ内でテレビ受信するときは番組リストＡを、地域３Ｂ内でテレビ受信するときは番組リストＢを、地域３Ｃ内でテレビ受信するときは番組リストＣをそれぞれ参照して、テレビ放送を受信することになる。なお、携帯端末４は、外部装置１Ａ、１Ｂ、１Ｃの通信先（外部装置がサーバの場合にはＵＲＬ、ＩＰアドレス。外部装置が携帯端末の場合には電話番号、Ｅ−ｍａｉｌアドレスなど）を各地域３Ａ、３Ｂ、３Ｃに対応付けて登録しておくことが好ましい。
【００３５】
図６に、本発明の実施形態における外部装置および携帯端末の構成を示すブロック図を示す。外部装置１Ａ、１Ｂ、１Ｃは、外部装置記憶部６、外部装置通信部７および外部装置テレビ受信部８を備えている。また、携帯端末４は、携帯端末記憶部９、携帯端末通信部１０、携帯端末テレビ受信部１１および地域特定部１２を備えている。
【００３６】
外部装置１Ａ、１Ｂ、１Ｃにおいて、外部記憶部６は、外部装置１Ａ、１Ｂ、１Ｃが存在する地域における物理チャンネルの一覧表示を記憶する記憶装置である。また、外部装置通信部７は、携帯端末４と携帯端末用無線通信を行う無線通信回路である。また、外部装置テレビ受信部８は、外部装置通信部７によって受信した物理チャンネル情報により特定される物理チャンネルで、テレビ放送を受信するチューナーとしての機能を果たす回路である。
【００３７】
一方、前記携帯端末４において、携帯端末記憶部９は、外部装置が存在する地域における物理チャンネルの一覧情報を記憶する部材であり、メモリ、ＨＤＤなどの記憶装置が想定される。また、携帯端末通信部１０は、外部装置１Ａ、１Ｂ、１Ｃと携帯端末用無線通信を行うものである。また、携帯端末テレビ受信部１１は、携帯端末に記憶された一覧情報のうち任意の物理チャンネルでテレビ放送送信されたテレビ放送を受信するチューナーとしての機能を果たす。さらに、地域特定部は、携帯端末が存在する地域を特定する回路であり、例えばＧＰＳ機能を実現する回路、が想定される。
【００３８】
このような構成の外部装置１Ａ、１Ｂ、１Ｃおよび携帯端末４によって、外部装置１Ａ、１Ｂ、１Ｃの外部装置通信部７が、外部装置記憶部６に記憶された物理チャンネルの一覧情報を、外部装置通信部７によって携帯端末４へ送信する。携帯端末４側では、携帯端末通信部１０によって受信した物理チャンネルの一覧情報を記憶するようにし、この一覧情報にもとづいて選択された特定の物理チャンネルで放送されたテレビ放送情報を携帯端末テレビ受信部１１で、受信することができる。
【００３９】
（第１実施形態）
以下、本発明の第１実施形態のテレビ放送受信システムを、外部装置を携帯端末とした場合について説明する。ここでは、図５に示すテレビ放送受信システムの概要図を基に説明する。なお、携帯端末５Ａ、５Ｂ、５Ｃは、放送局２Ａ、２Ｂ、２Ｃが所定の地域３Ａ、３Ｂ、３Ｃに放送するテレビ放送に関する番組リストを記憶している。この番組リストは、図２乃至図４に示したように、リモコン番号と、物理チャンネルと、チャンネル名とを含んでいる。
【００４０】
図７に、本発明の第１実施形態のテレビ放送受信システムにおける番組情報等の取得処理を示すフロー図を示す。第１の実施形態のテレビ放送受信システムにおいて、携帯端末４が、前記のように地域特定部１２および携帯端末通信部１０を備え、前記地域特定部１２により携帯端末４が存在する地域を特定し（ステップＳ７１）、携帯端末通信部１０により前記地域特定部１２によって特定した地域についての地域情報を、図７に示すように携帯端末５Ａ、５Ｂ、５Ｃに送信する（ステップＳ７２）。一方、外部装置としての携帯端末５Ａ、５Ｂ、５Ｃを構成する各外部装置通信部７は、携帯端末４から地域情報を受信すると（ステップＳ７３）、その受信した前記地域情報により指定される地域と携帯端末５Ａ、５Ｂ、５Ｃが存在する地域とが一致するが否かを比較し（ステップＳ７４）、一致する場合に外部装置記憶部６に記憶した物理チャンネルの一覧情報を携帯端末４に送信する（ステップＳ７５）。
【００４１】
なお、各携帯端末を区別するために、番組リスト取得済みの携帯端末を、前記携帯端末５Ａ、５Ｂ、５Ｃを含めて、以後「マスター端末」と称し、番組リストをまだ取得しておらず、マスター端末から番組リストを取得する携帯端末を、以後「スレーブ端末」と称し、このマスター端末およびスレーブ端末の登録処理につき説明する。
【００４２】
［マスター端末、スレーブ端末における登録処理］
マスター端末からスレーブ端末にデータ（少なくとも番組リストについてのデータを含む）を送信するために、スレーブ端末の通信先と、その通信先により特定されるスレーブ端末が番組リストを必要としていることを示すフラグ（例えば、番組リストが必要なスレーブ端末には１、不要なスレーブ端末には０を割り当てる）と、を事前にマスター端末に登録しておく必要がある。
【００４３】
通信先の１例としては例えば、電子メールに当該データを添付して送付する場合には、マスター端末はスレーブ端末の電子メールアドレスを登録しておく必要がある。このような登録処理を行うマスター端末は、近年の携帯端末が備える電話帳機能を利用して登録したり、既に電話帳機能を利用して登録済みの通信先を流用することも考えられる。
【００４４】
また、マスター端末が携帯端末ではなくサーバである場合に、そのサーバに記憶されている個人情報の１項目として上述のフラグをマスター端末が登録しておくことができ、例えば、コンテンツ利用会員やショップでポイントカード発行された顧客会員として登録することができる。また、マスター端末が携帯端末ではなく街頭などに設置されている非接触ＩＣの読み取り装置である場合に、ユーザが非接触ＩＣを搭載したスレーブ端末を読み取り装置にかざしたとき（アクセス）に、当該読み取り装置をマスター端末としてスレーブ端末が登録することもできる。また、近年の携帯端末が備える近距離無線（赤外線通信など）を利用してお互いの端末の通信先についての情報を交換し、相手端末の通信先と上述のフラグとをお互いに登録しても良い。
【００４５】
［マスター端末からスレーブ端末への番組情報の送信］
次に、マスター端末およびスレーブ端末の登録処理に続いて、マスター端末からスレーブ端末へ番組リストを送信する方法について述べる。まず、スレーブ端末は、ＧＰＳ機能により特定されるスレーブ端末の所在情報を、マスター端末に送信する（図７のステップＳ７２）。
【００４６】
一方、マスター端末は、スレーブ端末から受信した所在情報と当該マスター端末が取得済みの番組リストの地域情報とを比較して（図７のステップＳ７４）、所在情報により特定される地域と地域情報により特定される地域が同じ地域であると判定した場合、そのスレーブ端末が、フラグが登録されている端末であれば、そのスレーブ端末に番組リストを送信する（図７のステップＳ７５）。マスター端末は、フラグ登録していないスレーブ端末にも送信するようにしても良いが、その場合所在情報を送信してくるスレーブ端末全てに番組リストを送信しなければならず、一方、予めマスター端末に登録されているスレーブ端末のみに番組リストを送信する構成であれば、マスター端末への負担を軽減することができる。
【００４７】
マスター端末から番組リストを受信したスレーブ端末は、その番組リストを基に各放送局の物理チャンネルを特定し、テレビ放送を受信することになる（ステップＳ７６、Ｓ７７）。
【００４８】
本発明の第１実施形態のテレビ放送受信システムによれば、マスター端末の所在地とスレーブ端末の所在地が共通の地域にある場合のみ、スレーブ端末は、マスター端末が存在する地域における物理チャンネルの一覧情報のみを受信し、そのうち任意の物理チャンネルの放送を視聴することができるため、テレビ受信する機会の無い地域における物理チャンネルについての情報を記憶する必要が無くなる。
【００４９】
（第２実施形態）
本発明の第２実施形態のテレビ放送受信システムについて説明する。図８に、本発明の第１実施形態のテレビ放送受信システムにおける番組情報等の取得処理を示すフロー図を示す。
この第２実施形態のテレビ放送受信システムでは、図８に示すように、外部装置としての携帯端末５Ａ、５Ｂ、５Ｃを構成する各外部装置記憶部６は、携帯端末５Ａ、５Ｂ、５Ｃが存在する地域についての地域情報と、携帯端末５Ａ、５Ｂ、５Ｃが存在する地域における前記物理チャンネルの一覧情報と、を記憶している。また、外部装置通信部７は、外部装置記憶部６に記憶した、前記地域情報と前記物理チャンネルの一覧情報とを携帯端末４に送信する（ステップＳ８１）。
【００５０】
一方、携帯端末４では、携帯端末通信部１０が携帯端末５Ａ、５Ｂ、５Ｃから地域情報と物理チャンネルの一覧情報を受信すると（ステップＳ８２）、携帯端末記憶部９が、携帯端末通信部１０により受信した、地域情報と物理チャンネルの一覧情報を記憶する。そして、携帯端末４は、地域特定部１２は携帯端末４の所在地を特定し（ステップＳ８３）、携帯端末記憶部９に記憶した地域情報により指定される地域と地域特定部１２により特定した地域とが一致した場合に（ステップＳ８４）、携帯端末テレビ受信部１１が、携帯端末記憶部９に記憶した物理チャンネルの一覧情報のうちの、任意の物理チャンネル情報を参照してテレビ放送を受信する（ステップＳ８５）。
【００５１】
第１実施形態では、スレーブ端末からの問い合わせ（スレーブ端末側で特定した所在情報が、マスター端末が保有する地域情報と一致するか否かの問い合わせ）に応じて、マスター端末が番組リストを送信するものであり、スレーブ端末からの問い合わせという処理を起点として、以後の処理が進むものであった。第２実施形態では、マスター端末からの処理を起点として、以後の処理が進むものを想定している。第２実施形態の具体例について、以下詳細に説明する。なお、第１実施形態の項目［マスター端末、スレーブ端末における登録処理］に記載の処理は、第２実施形態の処理でも共通であるため説明を省略する。
【００５２】
［マスター端末からスレーブ端末への番組情報の送信］
マスター端末は、マスター端末利用者があるテレビ番組をスレーブ端末利用者に知らせるために、番組リストをスレーブ端末に送信する操作を行なったとき、その操作を検出しそのスレーブ端末に番組リストと地域情報を送信する（ステップＳ８１。フラグが登録されているスレーブ端末にのみ番組リストを送信する構成でもよい）。マスター端末利用者が番組リストをスレーブ端末利用者に送信する際の動機（イベント）は、例えば以下の場合が想定される。
【００５３】
（１）ニュース速報など緊急情報があるとき
（２）特別にお知らせしたいTV番組があるとき・スポンサー関係でＴＶ番組を見てほしいとき
（３）ある地域内で特別な番組、広告情報などと提供したい時
（４）相手と番組情報を共有したいとき（ＴＶ見ながらチャット）
【００５４】
スレーブ端末は、マスター端末から番組リストを受信すると（ステップＳ８２）、一旦その番組リストを保存する。その後、スレーブ端末は、ＧＰＳ機能により特定されるスレーブ端末の所在情報と、保存した番組リストの地域情報とを比較する（ステップＳ８３、Ｓ８４）。比較する時点としては、例えばＴＶチューナを起動したときや、ＧＰＳ機能を起動したときなどである。
【００５５】
所在情報により特定される地域と地域情報により特定される地域が同じ地域であると判定した場合、その番組リストを基に各放送局の物理チャンネルを特定し、テレビ放送を受信することになる（ステップＳ８５）。
【００５６】
本発明の第２実施形態のテレビ放送受信システムによれば、スレーブ端末は、予めある地域における物理チャンネルの一覧情報を記憶しておけば、その記憶した物理チャンネルの一覧情報に対応する地域とスレーブ端末の現在地域とが一致した場合に、その物理チャンネルの一覧情報を元にテレビ放送を受信することができるため、何度もマスター端末から物理チャンネルの一覧情報を受信する必要が無いため、スレーブ端末およびマスター端末双方への負担を軽減し、通信回線の効率利用を図ることができる。
【００５７】
（第３実施形態）
本発明の第３実施形態のテレビ放送受信システムについて説明する。図９に、本発明の第３実施形態のテレビ放送受信システムにおける番組情報等の他の取得処理を示すフロー図である。なお、第１、２実施形態の項目［マスター端末、スレーブ端末における登録処理］および項目［マスター端末からスレーブ端末への番組情報の送信］に記載の処理は、第３実施形態の処理でも共通であるため説明を省略する。
【００５８】
［スレーブ端末からマスター端末への物理チャンネル情報の送信］
この第３実施形態のテレビ放送受信システムでは、図９に示すように、外部装置としての携帯端末５Ａ、５Ｂ、５Ｃ（マスター端末）が、外部装置記憶部７に記憶した物理チャンネルの一覧情報のうちの、任意の物理チャンネルでテレビ放送送信されたテレビ放送を受信する外部装置テレビ受信部８を備え、携帯端末４（スレーブ端末）は、携帯端末テレビ受信部８によりテレビ放送を受信し（ステップＳ９１）、携帯端末テレビ受信部８によりテレビ放送を受信している物理チャンネルについての物理チャンネル情報を携帯端末通信部１０によって送信する（ステップＳ９２）。スレーブ端末が物理チャンネル情報をマスター端末に送信するタイミングとしては、スレーブ端末がある物理チャンネルのテレビ放送の視聴を開始した時点、別の物理チャンネルのテレビ放送に視聴を切り替えた時点などであれば、スレーブ端末とマスター端末とで視聴するテレビ放送共通なものになるため、別々の端末によってテレビ放送を視聴している視聴者の間でテレビ放送の内容を共有化することができ、より効果的である。
【００５９】
一方、外部装置テレビ受信部８は、携帯端末通信部１０により携帯端末４から物理チャンネル情報を受信し（ステップＳ９３）、その物理チャンネル情報を参照してテレビ放送を受信する（ステップＳ９４）。
【００６０】
本発明の第３実施形態のテレビ放送受信システムによれば、スレーブ端末で受信しているテレビ放送の切り替えに追従して、マスター端末によっても同様のテレビ放送を受信することができるため、別々の端末でテレビ放送を受信している複数人の間で共通のテレビ放送を見ることにより、そのテレビ放送により公開されている情報の共有化を図ることができる。
【００６１】
（第４実施形態）
この第４実施形態では、第１、２、３実施形態のようにマスター端末がスレーブ端末に地域情報と番組リストを含む番組情報を送信するだけでなく、スレーブ端末に行わせたい処理を指示する指示情報をマスター端末が送信する場合について説明する。図１０に、本発明の第４実施形態のテレビ放送受信システムにおける情報の流れを示すフロー図を示す。なお、第１実施形態の項目［マスター端末、スレーブ端末における登録処理］に記載の処理は、第４実施形態の処理（ステップＳ１００）でも共通であるため説明を省略する。
【００６２】
マスター端末がスレーブ端末に行わせる処理として指示する指示情報の詳細を、図１１の本発明におけるマスター端末からスレーブ端末へ提供する番組情報を含む指示情報のフォーマット図に示す。マスター端末は、このフォーマット情報によって、例えば、表示すべきチャンネルを指定する指定番組情報や、録画要求する録画要求情報、これらチャンネル指定や録画要求の優先度を指示する視聴優先度、録画予約の有無情報、これらの指示に対してスレーブ端末からの返信を要求する返信要求情報などを含み、マスター端末側に保持されている。マスター端末は、これらの指示情報を、第１実施形態および第２実施形態において説明したマスター端末からスレーブ端末への番組情報の送信時に、併せて送信すればより効果的であるが、番組情報と異なるタイミングで送信するようにしてもよい（ステップＳ１０１）。
【００６３】
一方、スレーブ端末は、マスター端末の指示を受け付けると（ステップＳ１０２）、その指示に応じて処理を実行する（ステップＳ１０３）。例えば、表示すべきチャンネルを指定する指定番組情報に応じてその番組に対応する物理チャンネルに併せてテレビ放送を受信し、録画要求する録画要求情報の有無に応じて指定番組情報に応じて特定されるテレビ放送の録画を開始し、録画予約の有無情報に応じて指定番組情報に応じて特定されるテレビ放送の録画を開始する時刻を設定し、返信要求情報の有無に応じてこれらの処理が完了したことを送信する。
【００６４】
なお、スレーブ端末は、マスター端末からの指示に対する対応処理を予め設定しておくことにより、スレーブ端末利用者の端末の使用状況に合った処理を実行することができる。図１２に、本発明におけるスレーブ端末で設定される処理内容を示すフォーマット図を示す。図１２では、指定されたチャンネルの視聴を優先するか否かについての対応（起動設定）や、録画要求に応じて録画するか否かについての対応（起動不可時録画設定）や、優先度情報を伴って指示された処理に対してスレーブ端末が実際にどんな処理を実行するか（優先度設定）、録画予約の支持に対して予約するか否かについての対応（予約可否）などを、予め設定しておくことにより、マスター端末からの指示された処理に対して、スレーブ端末が実際に行う処理を決定することができる。この設定により、マスター端末が要求する処理に対するスレーブ端末利用者の意図を反映した処理をスレーブ端末に実行させることができる。
【００６５】
スレーブ端末は、マスター端末から返信要求情報を受信している場合、ステップＳ１０２の処理を実行した後、マスター端末から送信された指示情報を実際にスレーブ端末が行ったか否かを通知する応答情報を送信する（ステップＳ１０４、Ｓ１０５）。この応答情報を、第３実施形態において説明したスレーブ端末からマスター端末への物理チャンネル情報の送信時に併せて送信すればより効果的であるが、この時点に限るものではない。この構成により、マスター端末利用者はスレーブ端末に要求した処理内容に対してスレーブ端末が実際に行った処理を確認することができる。
【００６６】
本発明の第４実施形態のテレビ放送受信システムによれば、マスター端末利用者およびスレーブ端末利用者による端末の利用状況に応じた処理を各端末に対して設定しておくことにより、別々の端末で共通のテレビ放送を視聴している複数人の間において、そのテレビ放送により公開されている情報の共有程度を視聴者に好ましい程度に設定しておくことができる。
【産業上の利用可能性】
【００６７】
本発明のテレビ放送受信システム、テレビ放送受信システムを構成する携帯端末および外部装置、およびテレビ放送受信方法によれば、テレビ放送を受信可能な携帯端末が記憶する物理チャンネルについての情報を最小限に抑えることができ、かつ、その構成を実現するために発生する経済的負担を最小限に抑えることができるという効果を奏し、テレビ放送を受信可能な携帯端末が、ある地域に存在する各テレビ放送局によってテレビ放送送信に用いられている物理チャンネルの一覧情報を取得し、その取得した物理チャンネルの一覧情報を参照してテレビ放送を受信する技術分野において有用である。
【図面の簡単な説明】
【００６８】
【図１】本発明の実施形態による外部装置と携帯端末とからなるテレビ放送受信システムを示す概要図である。
【図２】本発明の実施形態における外部装置が記憶する、放送局が一つの地域に放送するテレビ放送に関する番組リストのフォーマット図である。
【図３】本発明の実施形態における外部装置が記憶する、放送局が他の一つの地域に放送するテレビ放送に関する番組リストのフォーマット図である。
【図４】本発明の実施形態における外部装置が記憶する、放送局が他の一つの地域に放送するテレビ放送に関する番組リストのフォーマット図である。
【図５】本発明の実施形態における外部装置として携帯端末を使用する場合のテレビ放送受信システムを示す概要図である。
【図６】本発明の実施形態における外部装置および携帯端末の構成を示すブロック図である。
【図７】本発明の第１実施形態のテレビ放送受信システムにおける番組情報等の取得処理を示すフロー図である。
【図８】本発明の第２実施形態のテレビ放送受信システムにおける番組情報等の他の取得処理を示すフロー図である。
【図９】本発明の第３実施形態のテレビ放送受信システムにおける番組情報等の他の取得処理を示すフロー図である。
【図１０】本発明の第４実施形態のテレビ放送受信システムにおける情報の流れを示すフロー図である。
【図１１】本発明におけるマスター端末からスレーブ端末へ提供する番組情報を含む情報のフォーマット図である。
【図１２】本発明におけるスレーブ端末で設定される処理内容を示すフォーマット図である。
【符号の説明】
【００６９】
１Ａ、１Ｂ、１Ｃ  外部装置
２Ａ、２Ｂ、２Ｃ  放送局
３Ａ、３Ｂ、３Ｃ  地域
４  携帯端末
５Ａ、５Ｂ、５Ｃ  外部装置（携帯端末）
Ａ、Ｂ、Ｃ  番組リスト
６  外部装置記憶部
７  外部装置通信部
８  外部装置テレビ受信部
９  携帯端末記憶部
１０  携帯端末通信部
１１  携帯端末テレビ受信部
１２  地域特定部
【図１】
2008034935.tif 000003
【図２】
2008034935.tif 000004
【図３】
2008034935.tif 000005
【図４】
2008034935.tif 000006
【図５】
2008034935.tif 000007
【図６】
2008034935.tif 000008
【図７】
2008034935.tif 000009
【図８】
2008034935.tif 000010
【図９】
2008034935.tif 000011
【図１０】
2008034935.tif 000012
【図１１】
2008034935.tif 000013
【図１２】
2008034935.tif 000014